(57)【要約】【課題】  受入液に巻き込まれるＢＯＧの再液化を防止する。【解決手段】  貯槽天井部の受入管Ｐの真下の液面Ｌに、浮体式の受入液移動方向転向装置２を配置する。受入液移動方向転向装置２は、上端部の液入口４と、外周面に設けた液出口６とを、液入口４側から下方に行くにしたがって周方向に分散し且つ外向きに転向して液出口６に繋がる流路７を備える。受入液移動方向転向装置２は、貯槽天井部の受入管Ｐの周りに上端部を取り付けた上下方向の案内部材１２と、案内部材１２の外面に沿って上下移動可能なスライド部材１５を備えたガイド装置１１により、水平方向の変位は拘束しつつ、上下に案内される。受入管Ｐより投入される受入液３ａは、受入液移動方向転向装置２の液入口４に受けた後、流路７に沿って転向させてから液出口６より貯槽内の液面Ｌに沿う方向に吐出させることで、ＢＯＧの気泡が巻き込まれても、液深くに引きこまれないようにさせる。【選択図】図１
2014152851.tif 000002
【特許請求の範囲】
【請求項１】
貯槽天井部に設けてある受入管の下方位置の貯槽内の液面で該受入管より落下投入される受入液を受けて、該受けた受入液を下向きから貯槽内の液面に沿わせる方向に変更させてから吐出させるようにする浮体式の受入液移動方向転向装置を、貯槽内の液面に浮かべ、
且つ上記受入液移動方向転向装置を、ガイド装置により水平方向の変位は拘束した状態で上下方向の移動をガイドするように支持してなる構成
を有することを特徴とする低温液化ガス貯槽のボイルオフガス巻込防止装置。
【請求項２】
受入液移動方向転向装置は、上端部に受入液を受けるための上向きに開口した液入口を備えると共に、該液入口よりも下方位置の外周に、該受入液移動方向転向装置を貯槽内の液面に浮かべた状態で液面に沿う方向に向く液出口を備え、且つ上記液入口と液出口の間に、上記液入口に繋がる上端側から下方に行くにしたがって、周方向に分散して下端側で上記液出口に繋がる流路を備える構成とした請求項１記載の低温液化ガス貯槽のボイルオフガス巻込防止装置。
【請求項３】
ガイド装置は、貯槽天井部における受入管の付近に、上下方向に延びる案内部材の上端部を取り付け、該案内部材に沿って上下方向に移動可能なスライド部材を、受入液移動方向転向装置に取り付けてなる構成とした請求項１又は２記載の低温液化ガス貯槽のボイルオフガス巻込防止装置。
【請求項４】
受入液移動方向転向装置は、液入口の上側に、下端部に下端側開口を備え且つ上端部に上記下端側開口よりも大径の上端側開口を有する逆円錐台面形状の液受けガイドを取り付けた構成としてある請求項１から請求項３のいずれか一項に記載の低温液化ガス貯槽のボイルオフガス巻込防止装置。
【発明の詳細な説明】
【技術分野】
【０００１】
本発明は、低温液化ガス貯槽に受入管より受入液を受け入れる際にボイルオフガスが液面下に巻き込まれ、その気泡が液中深くで再液化することを防止するための低温液化ガス貯槽のボイルオフガス巻込防止装置に関するものである。
【背景技術】
【０００２】
低温液化ガスであるＬＮＧ（液化天然ガス）を貯留する低温液化ガス貯槽では、ＬＮＧを約−１６０℃に保持した状態で貯留するようにしてあるが、壁面及び床面を通して入熱が生じるため、貯留してあるＬＮＧの一部が昇温させられて蒸発し、ボイルオフガス（以下、ＢＯＧと略す）となって液面に浮上する。
【０００３】
上記低温液化ガス貯槽では、上記ＢＯＧが常時発生しているため、通常、貯槽内における液面上の上部空間には、上記ＢＯＧが満たされている。
【０００４】
上記低温液化ガス貯槽では、一般に、液受入れは、貯槽上部に設けられている受入管より受入液を受け入れるようにしてある。この際、従来は、上記受入管より受入液を直接落下投入させるようにしたり、上記受入管より落下投入される受入液を、スプラッシュプレートに一旦当ててから液面まで落下させるようにしたり、あるいは、受入管の下方に設けた受入リード管により貯槽底部まで導いたりするようにしていた。
【０００５】
ところで、上記受入リード管では、上記受入管より供給される受入液が内部を流れる際に急速にガス化する。そのため、上記受入リード管は、該受入リード管の上端と、上記受入管の下端との間に管外に連通する開口を設けることにより、上記受入液のガス化したガスを逃がすことができるようにしてある。
【０００６】
そのために、上記受入管より受入リード管を通して受入液を貯槽底部へ導くときには、上記受入液の流速に応じて上記開口よりＢＯＧが巻き込まれ、この受入液に巻き込まれたＢＯＧの気泡が、受入液と共に貯槽底部まで送られてしまう。
【０００７】
上記受入液に巻き込まれたＢＯＧの気泡は、上記受入液の流れに搬送されて貯槽内に貯留されているＬＮＧの或る深さまで達すると、液圧の上昇により押し潰されてＢＯＧの再液化現象が生じる。
【０００８】
しかし、上記ＢＯＧは、元々貯留されているＬＮＧよりも温度が高いガスであるため、上記のようなＢＯＧの再液化現象が貯槽底部で生じると、熱エネルギーが貯槽底部のＬＮＧに蓄積されてしまい、ロールオーバー事象の原因となる虞が懸念される。
【０００９】
そこで、上記受入リード管内に、種々の管内構造物を設けて、上記受入液によるＢＯＧの巻き込みを抑制するようにした対策が採られてきている（たとえば、特許文献１参照）。
【００１０】
なお、上記受入管より受入液を直接投入する場合は、落下する受入液が槽内に貯留されているＬＮＧの液面に当たるときにＢＯＧの巻き込みによる気泡が生じると共に、このＢＯＧの気泡が落下した受入液の液中での流れに伴われて液中深く引きこまれるようになる。又、受入液をスプラッシュプレートに一旦当ててから落下させる場合は、受入液の液面に対する衝突速度は多少軽減されるが、該受入液による液面でのＢＯＧの巻き込みと、発生したＢＯＧの気泡が液中深くへ引き込まれることを防止することはできない。そのため、上記受入管より受入液を液面に直接投入する場合、及び、スプラッシュプレートを用いる場合のいずれの場合であっても、上記受入リード管を用いる場合と同様に、受入液投入時に気泡となって巻き込まれたＢＯＧの再液化現象が、液中深くで生じてしまう。
【先行技術文献】
【特許文献】
【００１１】
【特許文献１】特開２０００−２４０８９６号公報
【発明の概要】
【発明が解決しようとする課題】
【００１２】
ところが、上記特許文献１に示されたような受入リード管内に管内構造物を設ける手法は、落下する受入液の液面に対する衝突速度を減殺することに主眼が置かれているものである。そのため、上記特許文献１に示されたものでは、上記衝突速度の減少に伴って、受入液に巻き込まれるＢＯＧの気泡の量は低減できるとしても、液中深くに向かう受入液の流れ自体はなくならないために、ＢＯＧの気泡が液中深くに引きこまれて再液化することを防止することはできない。
【００１３】
そこで、本発明は、低温液化ガス貯槽における受入液の受け入れの際に、たとえＢＯＧの気泡が発生しても、該気泡が液中深くに引きこまれて再液化することを防止することができる低温液化ガス貯槽のボイルオフガス巻込防止装置を提供しようとするものである。
【課題を解決するための手段】
【００１４】
本発明は、上記課題を解決するために、請求項１に対応して、貯槽天井部に設けてある受入管の下方位置の貯槽内の液面で該受入管より落下投入される受入液を受けて、該受けた受入液を下向きから貯槽内の液面に沿わせる方向に変更させてから吐出させるようにする浮体式の受入液移動方向転向装置を、貯槽内の液面に浮かべ、且つ上記受入液移動方向転向装置を、ガイド装置により水平方向の変位は拘束した状態で上下方向の移動をガイドするように支持してなる構成とする。
【００１５】
又、請求項２に対応して、上記請求項１の構成において、受入液移動方向転向装置は、上端部に受入液を受けるための上向きに開口した液入口を備えると共に、該液入口よりも下方位置の外周に、該受入液移動方向転向装置を貯槽内の液面に浮かべた状態で液面に沿う方向に向く液出口を備え、且つ上記液入口と液出口の間に、上記液入口に繋がる上端側から下方に行くにしたがって、周方向に分散して下端側で上記液出口に繋がる流路を備える構成とする。
【００１６】
更に、請求項３に対応して、上記各構成において、ガイド装置は、貯槽天井部における受入管の付近に、上下方向に延びる案内部材の上端部を取り付け、該案内部材に沿って上下方向に移動可能なスライド部材を、受入液移動方向転向装置に取り付けてなる構成とする。
【００１７】
更に又、請求項４に対応して、上述の各構成において、受入液移動方向転向装置は、液入口の上側に、下端部に下端側開口を備え且つ上端部に上記下端側開口よりも大径の上端側開口を有する逆円錐台面形状の液受けガイドを取り付けた構成とする。
【発明の効果】
【００１８】
本発明の低温液化ガス貯槽のボイルオフガス巻込防止装置によれば、受入管からの受入液の落下投入時に、受入液は、受入液移動方向転向装置に受けてから、貯槽内の液面に沿う方向に向けて吐出させることができるため、受入液に巻き込まれるボイルオフガスの気泡が液中深く引きこまれて再液化する虞を防止することができる、という優れた効果を発揮する。
【図面の簡単な説明】
【００１９】
【図１】本発明の低温液化ガス貯槽のボイルオフガス巻込防止装置の実施の一形態を示す概略切断側面図である。
【図２】図１のＡ−Ａ方向矢視図である。
【図３】図１の装置を適用した低温液化ガス貯槽を示す概略切断側面図である。
【図４】本発明の実施の更に他の形態を示すもので、（ａ）（ｂ）はそれぞれ受入液移動方向転向装置の移動をガイドするガイド装置の別の例を示す図２に対応する図である。
【発明を実施するための形態】
【００２０】
以下、本発明を実施するための形態を図面を参照して説明する。
【００２１】
図１乃至図３は本発明の低温液化ガス貯槽のボイルオフガス巻込防止装置の実施の一形態を示すものである。
【００２２】
すなわち、本発明の低温液化ガス貯槽のボイルオフガス巻込防止装置（以下、本発明のＢＯＧ巻込防止装置と略記する）は、図１乃至図３に符号１で示すもので、低温液化ガス貯槽（以下、単に貯槽と云う）Ｔの天井部に設けられている受入管Ｐの下方位置に、浮体式の受入液移動方向転向装置２が、上記貯槽Ｔに貯留された低温液化ガスとしてのＬＮＧ３の液面Ｌに浮かべて配置されている。
【００２３】
上記受入液移動方向転向装置２は、平面形状が円形としてあり、軸心部の上端部には、軸心方向上向きに開口した液入口４が設けられている。上記液入口４は、上記受入管Ｐの口径よりも大きい径寸法を有するようにしてある。更に、上記液入口４の上端寄りには、上側に行くにしたがって拡径する液導入用のテーパ面部５を備える構成として、上記受入管Ｐより落下投入されるＬＮＧの受入液３ａを、上記テーパ面部５で案内しながら液入口４に受けることができるようにしてある。
【００２４】
上記受入液移動方向転向装置２の外周面には、上記液入口４よりも或る寸法下方となる位置に、軸心方向と直交する面に沿って外向きとなる液出口６が、周方向の全周に亘り設けてある。
【００２５】
更に、上記液入口４から上記液出口６までの間には、上記液入口４に繋がる上端側から下方に行くにしたがって、軸心方向に沿う方向から周方向に分散しつつ軸心と直交する方向へ向けて滑らかに向きが変わり、下端側で上記液出口６に繋がるようにした流路７が設けられている。なお、上記流路７の天井面を形成すると共に中央部に上記液入口４が設けられている天井部材８は、上記流路７の底面を形成している底部材９に対し、周方向にある間隔の複数個所（図では周方向６０度間隔６個所）に配置された柱状の連結部材１０を介して連結されている。なお、上記連結部材１０の形状は、上記流路７を流れる上記受入液３ａの流れに対する抵抗を小さくするという観点から考えると、図２に示すように、半径方向に沿う平板状とすることが望ましいが、必ずしもこの形状に限定されない。又、上記受入液移動方向転向装置２のサイズに応じて、上記連結部材１０は、サイズや設置数や配置を適宜変更してよいことは勿論である
【００２６】
上記底部材９は、上記受入液移動方向転向装置２の全体の浮力を得るために、上下方向に或る厚み寸法を有し、且つ図示してないが中空構造としてある。なお、上記底部材９は、中空の外殻にパーライトやその他のＬＮＧ３に比して比重が小さく、且つＬＮＧ３の低温に耐え得る材料を充填した構成として、万一、なんらかの要因により外殻に損傷が生じても浮力が損なわれない不沈構造としてもよい。
【００２７】
ここで、上記受入液移動方向転向装置２の浮力について述べる。
【００２８】
浮体としての受入液移動方向転向装置２が、落下する受入液３ａより受ける力Ｆｉ［Ｎ］は、次式で表される。
Ｆｉ＝ρＱＶ
ここで、ρ：ＬＮＧの密度、約４００［ｋｇ／ｍ３］、Ｑ：受入液３ａの流量［ｍ３／ｓ］、ｖ：受入液３ａの落下速度［ｍ／ｓ］である。
【００２９】
したがって、たとえば、上記受入液３ａの流量Ｑが毎時５０００ｍ３（＝１．３９ｍ３／ｓ）、受入液３ａの落下速度ｖが１０ｍ／ｓであるとすると、上記力Ｆｉは、
Ｆｉ＝４００×１．３９×１０＝５５６０［Ｎ］
となる。
【００３０】
一方、浮体に働く浮力Ｆｂ［Ｎ］は、次式で表される。
Ｆｂ＝ρＶ
ここで、ρは密度［ｋｇ／ｍ３］、Ｖは浮体の体積［ｍ３］である。
【００３１】
したがって、たとえば、上記底部材９が、直径Ｄ＝５ｍ、厚み寸法Ｈ＝２ｍの中空円柱であると仮定すると、その体積Ｖは、
Ｖ＝π×（Ｄ／２）２×Ｈ＝３９．３［ｍ３］
となり、この底部材９全体がＬＮＧ３の液面Ｌ下に没しているとすれば、その浮力Ｆｂは、
Ｆｂ＝４００×３９．３＝１５７２０［Ｎ］
となる。
【００３２】
よって、上記受入液移動方向転向装置２は、該受入液移動方向転向装置２全体の自重を考慮しても、上記底部材９の浮力により、上記受入管Ｐより落下する受入液３ａより受ける力に抗して液面に浮いた状態に保持させることが十分に可能であることが分かる。
【００３３】
ところで、上記受入液移動方向転向装置２は、貯槽ＴにおけるＬＮＧ３の液面Ｌの位置が高い場合には、上記受入管Ｐとの落差が小さいため、落下投入される受入液３ａより受ける下向きの力が小さい一方、上記液面Ｌの位置が低い場合には、上記落差が大きくなることで、落下投入される受入液３ａより受ける下向きの力が大きくなる。
【００３４】
以上の点に鑑みて、上記受入液移動方向転向装置２の浮力は、落下する受入液３ａより受ける力が最大となる状態であっても、上記液入口４が上記液面Ｌに没する虞がなく、且つ上記落下する受入液３ａより受ける力が最小となるときに、上記液出口６を、ＬＮＧ３の液面Ｌ又はその付近、好ましくは、上記液面Ｌの下側近傍位置に保持できるように調整してあるものとする。
【００３５】
これにより、上記受入液移動方向転向装置２では、上記受入管Ｐより落下投入される受入液３ａが液入口４に受けられると、該受入液３ａが、流路７を流れる間に液出口６に向けて滑らかに転向させられた後、該液出口６より、貯槽Ｔに貯留されているＬＮＧ３の液面に沿う方向に外向きに吐出されるようにしてある。
【００３６】
更に、上記受入液移動方向転向装置２には、該受入液移動方向転向装置２の上下方向の移動をガイドするためのガイド装置１１が付設されている。
【００３７】
上記ガイド装置１１は、たとえば、上記貯槽Ｔの天井部における上記受入管Ｐを中心とする正三角形の各頂点となる３個所に、上下方向に延びるパイプ状の案内部材１２の上端部がそれぞれ取り付けられている。
【００３８】
上記各案内部材１２は、隣接する案内部材１２同士の上下方向複数個所が、連結部材１３を介して相互に連結してあり、これにより、上記各案内部材１２と各連結部材１３により囲まれた内側に上下方向に連続する空間を備えた枠構造が形成してある。
【００３９】
更に、単数又は複数の案内部材１２は、上下方向複数個所が、上記貯槽Ｔの側壁に保持部材１４を介して取り付けられている。これにより、上記各案内部材１２と各連結部材１３からなる枠構造は、地震時等に貯槽Ｔに貯留されているＬＮＧ３に揺動が生じる場合であっても、貯槽Ｔの側壁に当たる虞がないようにしてある。
【００４０】
上記受入液移動方向転向装置２は、上記各案内部材１２と各連結部材１３からなる枠構造の内側空間に配置してある。上記底部材９の周方向における上記各案内部材１２に臨む３個所には、上記各案内部材１２の外面に沿わせて近接配置した水平断面円弧形状のスライド部材１５が、取付部材１６を介して取り付けてある。なお、上記各スライド部材１５は、上下方向に或る寸法延びる形状として、上記受入液移動方向転向装置２の傾斜を防止できるようにしてあるものとする。
【００４１】
かかる構成のガイド装置１１によれば、３本の案内部材１２により上記各スライド部材１５の水平方向の位置が定まるため、上記受入液移動方向転向装置２の水平方向の配置を、受入管Ｐの真下に保持することができる。且つ、上記各スライド部材１５は、それぞれ対応する案内部材１２の外面に沿って上下方向に移動することができるため、貯槽Ｔに貯留されたＬＮＧ３の液面Ｌの変位に追従する上記受入液移動方向転向装置２の上下動は、自在に行わせることができるようにしてある。
【００４２】
なお、上記受入管Ｐは、出口側に、受入液３ａを整流して流下させるための整流手段を備える構成としてあることが望ましい。
【００４３】
以上の構成としてある本発明のＢＯＧ巻込防止装置１を装備した貯槽Ｔでは、受入管Ｐより受入液３ａが落下投入されると、該受入液３ａは、ＬＮＧ３の液面に浮いた状態に保持されている上記受入液移動方向転向装置２に液入口４より受けられる。
【００４４】
上記受入液移動方向転向装置２の液入口４に受けられた受入液３ａは、その後、流路７を通して流れ方向が転向させられた後、液出口６より上記ＬＮＧ３の液面Ｌに沿う方向に吐出されるようになる。
【００４５】
この際、上記受入液３ａにＢＯＧの気泡が巻き込まれたとしても、該受入液３ａは液面Ｌに沿う方向にしか流れないため、上記ＢＯＧの気泡が液中深く引きこまれることはない。よって、上記ＢＯＧの気泡は、液圧が高まって再液化する現象が生じることはないため、その後、液面Ｌに浮上して消えるようになる。
【００４６】
このように、本発明のＢＯＧ巻込防止装置によれば、受入管Ｐからの受入液３ａの落下投入時に、受入液３ａに巻き込まれるＢＯＧの気泡が液中深く引きこまれて再液化する虞を防止することができる。
【００４７】
上記実施の形態では、受入液移動方向転向装置２は、液入口４の上端寄りに、テーパ面部５を備える構成として示したが、上記液入口４の上側に、更に、図１に二点鎖線で示すように、下端部に上記液入口４の径に対応する径の下端側開口を備え、且つ上端部に上記下端側開口よりも大径の上端側開口を有する逆円錐台面形状の液受けガイド１７を取り付けた構成としてもよい。
【００４８】
上記液受けガイド１７を備えた構成によれば、上記液入口４に受入液３ａが受けられる際の液跳ねによる受入液３ａの周辺への飛散を抑えることができる。
【００４９】
更に、上記受入液移動方向転向装置２では、受入液３ａの投入初期に、流路７での受入液３ａの流れが安定しないことに起因して、液入口４から受入液３ａが溢れる現象が懸念される場合があるが、上記液受けガイド１７を備えた構成では、万一、上記液入口４からの受入液３ａの溢れが生じても、溢れた受入液３ａを、その後、液入口４へ戻すことができるようになる。
【００５０】
次に、図４（ａ）（ｂ）は本発明の実施の他の形態として、図１乃至図３に示した実施の形態におけるガイド装置１１の変形例をそれぞれ示すものである。
【００５１】
すなわち、図４（ａ）に示すガイド装置１１は、図１乃至図３に示したガイド装置１１と同様の構成において、各案内部材１２の外面における受入液移動方向転向装置２寄りの個所に、上下方向に延びる板状の溝形成部材１８を、二枚一組で平行に取り付けて、該一対の溝形成部材１８の間に、上記受入液移動方向転向装置２に臨んで上下方向に延びるガイド溝１９を形成する。
【００５２】
一方、上記受入液移動方向転向装置２には、底部材９の周方向における上記各案内部材１２に臨む３個所に、上記ガイド溝１９の内側に配置した板状のスライド部材２０が、取付部材１６を介して取り付けてある。なお、上記各スライド部材２０は、上下方向に或る寸法延びる形状として、上記受入液移動方向転向装置２が傾斜することを防止できるようにしてあるものとする。
【００５３】
その他の構成は図２に示したものと同様であり、同一のものには同一の符号が付してある。
【００５４】
かかる構成のガイド装置１１によれば、３本の案内部材１２に設けてある各ガイド溝１９により上記各スライド部材２０の水平方向の位置が定まるため、上記受入液移動方向転向装置２の水平方向の配置を、受入管Ｐの真下に保持することができる。且つ、上記各スライド部材２０は、それぞれ対応するガイド溝１９に沿って上下方向に移動することができるため、貯槽Ｔに貯留されたＬＮＧ３の液面Ｌの変位に追従する上記受入液移動方向転向装置２の上下動は、自在に行わせることができる。
【００５５】
又、図４（ｂ）に示すガイド装置１１は、図１乃至図３に示したガイド装置１１と同様の構成において、パイプ状の各案内部材１２の周壁における受入液移動方向転向装置２寄りの個所に、上下方向に延びるスリット状のガイド溝２１を形成する。
【００５６】
一方、上記受入液移動方向転向装置２には、底部材９の周方向における上記各案内部材１２に臨む３個所に、上記各案内部材１２のガイド溝２１の間に内外方向に挿通させて配置した板状のスライド部材２２が、取付部材１６を介して取り付けてある。なお、上記各スライド部材２２は、外側端部が上記各案内部材の上下方向に或る寸法延びる形状として、上記受入液移動方向転向装置２の傾斜を防止できるようにしてあるものとする。
【００５７】
その他の構成は図２に示したものと同様であり、同一のものには同一の符号が付してある。
【００５８】
かかる構成のガイド装置１１によれば、３本の案内部材１２に設けてある各ガイド溝２１により上記各スライド部材２２の水平方向の位置が定まるため、上記受入液移動方向転向装置２の水平方向の配置を、受入管Ｐの真下に保持することができる。且つ、上記各スライド部材２２は、それぞれ対応するガイド溝２１に沿って上下方向に移動することができるため、貯槽Ｔに貯留されたＬＮＧ３の液面Ｌの変位に追従する上記受入液移動方向転向装置２の上下動は、自在に行わせることができる。
【００５９】
なお、本発明は上記実施の形態のみに限定されるものではなく、受入液移動方向転向装置２の流路７は、受入液３ａの流通を円滑に行わせて落下投入される受入液３ａより受ける力の低減化を図るという観点から考えると、液入口４より液出口６までが滑らかに連続する曲面で繋がる構成とすることが望ましいが、液入口４を通して受け入れる受入液３ａの下向きの流れを、外周に向く方向に転向させて、液出口６より液面Ｌに沿う方向に吐出させることができるようにしてあれば、たとえば、下向きの流路と円錐面に沿う形状の流路と周方向外向きの流路を繋いだ形状等、図１に示した以外の鉛直断面形状を備えた流路７としてもよい。
【００６０】
液入口４は、受入液３ａを受入れやすくするという観点から考えると、該液入口４の上端部にはテーパ面部５を備えることが望ましいが、受入管Ｐより落下投入される受入液３ａの水平断面のサイズに比して、上記液入口４の径が十分に大きいサイズとしてあれば、上記テーパ面部５は省略した構成としてもよい。
【００６１】
天井部材８は、重量を軽減するという観点から考えると、図１に示すように、上記流路７の天井面に沿って湾曲する均一な厚み寸法を有するものとすることが望ましいが、厚み寸法は必ずしも均一でなくてもよく、よって、その断面形状は、図１に示した形状に限定されるものではない。
【００６２】
図１乃至図３の実施の形態、及び、図４（ａ）の実施の形態では、ガイド装置１１における３本のパイプ状の案内部材１２のうちの１本又は複数本を、ポンプバレルの配管を兼ねる構成としてもよい。
【００６３】
ガイド装置１１は、受入液移動方向転向装置２の水平方向の変位と、傾くことを拘束することができ、且つ上記受入液移動方向転向装置２の上下方向の変位は自在に行わせることができるようにしてあれば、案内部材１２の数や配置を変更したり、パイプ状以外の断面形状の案内部材を用いたりするようにしてもよい。これに伴い、上記案内部材により水平方向の動きは拘束されるが、上下方向には移動可能とするためのスライド部材の数や形状やサイズは、上記案内部材に合わせて適宜変更すればよい。
【００６４】
受入液移動方向転向装置２は、受入液３ａを外周方向に平均して吐出させるという観点から考えると、平面形状を円形とすることが望ましいが、円形以外の平面形状を採用してもよい。
【００６５】
本発明は、ＬＰＧ、液体酸素、液体水素等、ＬＮＧ以外の低温液化ガスの貯槽に適用してもよい。
【００６６】
その他本発明の要旨を逸脱しない範囲内で種々変更を加え得ることは勿論である。
【符号の説明】
【００６７】
１  ＢＯＧ巻込防止装置
２  受入液移動方向転向装置
３  ＬＮＧ（低温液化ガス）
３ａ  受入液
４  液入口
６  液出口
７  流路
１１  ガイド装置
１２  案内部材
１５  スライド部材
１７  液受けガイド
２０  スライド部材
２２  スライド部材
Ｔ  貯槽
Ｐ  受入管
Ｌ  液面
【図１】
2014152851.tif 000003
【図２】
2014152851.tif 000004
【図３】
2014152851.tif 000005
【図４】
2014152851.tif 000006